(57)【要約】【課題】上階と下階との間に収納室を設けた場合でも、容易に換気ユニット本体を設置できるとともに配管も容易なセントラル換気装置の設置構造を提供する。【解決手段】上階と下階の間の収納室３に換気ユニット本体１１を設置し、この換気ユニット本体１１に接続される屋内供給用配管１３，１４を収納室３の上部側と下部側の双方に配置したうえで、収納室３の側方に延出する。これにより、収納室３の高さを利用して屋内供給用配管１３，１４を効率的に配管でき、よって屋内供給用配管１３，１４の配管が容易となる。【選択図】  図１
2005069545.tif 000002
【特許請求の範囲】
【請求項１】
建物の上階と下階との間に収納室が設けられ、この収納室に、屋内を換気可能なセントラル換気装置が設置されたセントラル換気装置の設置構造であって、
前記収納室に、前記セントラル換気装置の換気ユニット本体が設置され、
この換気ユニット本体に接続されて外部の新鮮な空気を屋内に供給する屋内供給用配管が、前記収納室の上部側と下部側の双方に配置されたうえで、前記収納室の側方に延出されていることを特徴とするセントラル換気装置の設置構造。
【請求項２】
請求項１に記載のセントラル換気装置の設置構造において、
前記収納室の側方は、下階の居室の上部空間とされており、
前記収納室の上部側に配置された屋内供給用配管は、前記下階の居室の上部空間に設けられた天井の裏側を引き回されたうえで、該天井から下階の居室の上部空間に開口していることを特徴とするセントラル換気装置の設置構造。
【請求項３】
請求項１または２に記載のセントラル換気装置の設置構造において、
前記換気ユニット本体には、吸入口が直接設けられており、
前記収納室を形成する壁には、開口部が前記吸入口の近傍に形成されていることを特徴とするセントラル換気装置の設置構造。
【請求項４】
請求項１〜３のいずれかに記載のセントラル換気装置の設置構造において、
前記収納室には、発熱する他の機器が前記換気ユニット本体の近傍に設けられていることを特徴とするセントラル換気装置の設置構造。
【請求項５】
請求項１〜４のいずれかに記載のセントラル換気装置の設置構造において、
前記換気ユニット本体または収納室には、換気ユニット本体の吸入口から吸入される空気の温度を検出する温度センサが設けられており、
前記換気ユニット本体は、前記温度センサによって検出された温度に基いて、換気風量が制御されることを特徴とするセントラル換気装置の設置構造。
【発明の詳細な説明】
【技術分野】
【０００１】
本発明は、住宅の建物に設置されて屋内を換気するセントラル換気装置の設置構造に関する。
【背景技術】
【０００２】
住宅の建物内に設置されるセントラル換気装置の一例として、特許文献１に記載の技術が知られている。
このセントラル換気装置は、上下に複数のフロアを有する建物における屋内を換気可能なものであり、屋内と屋外との間を連通する配管と、この配管の内部における強制的な空気の流れを形成する換気ユニット本体とを備え、この換気ユニット本体及び配管が、建物の各フロア毎に独立して形成されているものである。
換気ユニット本体は、各フロアの天井の裏側に設けられ、前記換気ユニット本体により供給される空気を屋内へ吹き出す吹き出し口が天井面に複数設けられ、記換気ユニット本体に屋内の空気を吸い込ませる吸入口が一フロア全体で一箇所設けられている。
【特許文献１】特開平１０−１１０９９２号公報
【発明の開示】
【発明が解決しようとする課題】
【０００３】
ところで、上記のようなセントラル換気装置の換気ユニット本体は、通常天井裏に設置されている。一方、近年、より大きな収納スペースを確保するために、天井裏の天井懐部分を利用して上階と下階との間に収納室を設けた住宅が提供されている。このような住宅の場合、上階と下階の間に収納室を設けた分、換気ユニット本体を設置する天井裏のスペースが狭くなって、天井裏に換気ユニット本体をなんとか設置できても、換気ユニット本体から延びて外部の新鮮な空気を屋内に供給する屋内供給用配管のスペースが狭くなって、配管が非常に困難となる場合がある。
【０００４】
本発明は上記事情に鑑みてなされたものであり、上階と下階との間に収納室を設けた場合でも、容易に換気ユニット本体を設置できるとともに配管も容易なセントラル換気装置の設置構造を提供することを課題としている。
【課題を解決するための手段】
【０００５】
上記課題を解決するために、請求項１に記載の発明は、例えば、図１〜図３に示すように、建物の上階（２階）と下階（１階）との間に収納室３が設けられ、この収納室３に、屋内を換気可能なセントラル換気装置１０が設置されたセントラル換気装置の設置構造であって、
前記収納室３に、前記セントラル換気装置１０の換気ユニット本体１１が設置され、
この換気ユニット本体１１に接続されて外部の新鮮な空気を屋内に供給する屋内供給用配管１３，１４が、前記収納室３の上部側と下部側の双方に配置されたうえで、前記収納室３の側方に延出されていることを特徴とする。
【０００６】
このように、収納室３に換気ユニット本体１１が設置されるので、天井裏のスペースに関係なく、容易に換気ユニット本体１１を設置できる。そして、この換気ユニット本体１１に接続される屋内供給用配管１３，１４は、収納室３の上部側と下部側の双方に配置されているので、この収納室３の高さを利用して屋内供給用配管１３，１４を効率的に配管して、側方に延出でき、よって、屋内供給用配管１３，１４の配管が容易となる。
【０００７】
ここで、収納室３の側方に延出した屋内供給用配管１３，１４のうち、上部側の屋内供給用配管１３は下階の天井裏を引き回して、天井面の適宜の箇所に形成された吹出し口に接続する。また、下部側の屋内供給用配管１４は収納室３の側部に設けられた吹出し口に接続してもよいし、収納室３の床と同レベルにある床の下側、つまり下階の天井裏を引き回して、天井面の適宜の箇所に形成された吹出し口に接続してもよい。
また、前記収納室３の天井高は、０．９ｍ〜１．６ｍに設定するのが望ましいが、より望ましくは、１．０ｍ〜１．４ｍに設定するのが好適である。
【０００８】
請求項２に記載の発明は、請求項１に記載のセントラル換気装置の設置構造において、
前記収納室３の側方は、下階（１階）の居室５の上部空間とされており、
前記収納室３の上部側に配置された屋内供給用配管１３は、前記下階の居室５の上部空間に設けられた天井１９の裏側を引き回されたうえで、該天井１９から下階の居室５の上部空間に開口していることを特徴とする。
【０００９】
このように、上階と下階の間に設けられた収納室３の側方が、下階の居室５の上部空間、つまり天井高の高い空間とされている場合に、収納室３の上部側に配置された屋内供給用配管１３が、下階の居室５の上部空間に設けられた天井１９の裏側を引き回されたうえで、該天井１９から下階の居室５の上部空間に開口しているので、天井高の高い居室５の換気を容易かつ確実に行うことができる。
【００１０】
請求項３に記載の発明は、例えば、図４および図５に示すように、請求項１または２に記載のセントラル換気装置の設置構造において、
前記換気ユニット本体１１には、吸入口１１ａが直接設けられており、
前記収納室３を形成する壁には、開口部２２が前記吸入口１１ａの近傍に形成されていることを特徴とする。
【００１１】
このように、収納室３を形成する壁に開口部２２が形成されているので、下階を還流した空気がこの開口部２２から流入して、換気ユニット本体１１の吸入口１１ａから吸入され、この換気ユニット本体１１に接続されている外部排気用配管１５によって外部に排気される。つまり、下階を還流した空気を集中的に集めて外部に排気できる。また、開口部２２が吸入口１１ａの近傍に形成されているので、開口部２２から入った空気を素早く吸入口１１ａに吸入できる。
【００１２】
請求項４に記載の発明は、請求項１〜３のいずれかに記載のセントラル換気装置の設置構造において、
前記収納室３には、発熱する他の機器が前記換気ユニット本体の近傍に設けられていることを特徴とする。
【００１３】
ここで、発熱する他の機器とは、家庭内のホームサーバ、太陽電池のインバータやバッテリ等が挙げられるが、これに限るものではない。
収納室３に発熱する他の機器を設ける場合、収納室３内を仕切壁６等によって区画して、換気ユニット本体１１を収納するチャンバー（チャンバー区画７）を設けるのが望ましい。
【００１４】
このように、収納室３には、発熱する他の機器が換気ユニット本体１１の近傍に設けられているので、これら発熱する機器によって加熱された空気は、他の居室等に流入することなく、換気ユニット本体１１の吸入口１１ａから素早く吸入されて外部に排出される。
【００１５】
請求項５に記載の発明は、例えば図５に示すように、請求項１〜４のいずれかに記載のセントラル換気装置の設置構造において、
前記換気ユニット本体１１または収納室３には、換気ユニット本体１１の吸入口１１ａから吸入される空気の温度を検出する温度センサ２３が設けられており、
前記換気ユニット本体１１は、前記温度センサ２３によって検出された温度に基いて、換気風量が制御されることを特徴とする。
【００１６】
このように、換気ユニット本体１１は、前記温度センサ２３によって検出された温度に基いて、換気風量が制御されるので、季節に応じて適切な換気風量を確保できる。
【発明の効果】
【００１７】
請求項１に記載の発明によれば、換気ユニット本体に接続されて外部の新鮮な空気を屋内に供給する屋内供給用配管が、１階と２階の間に設けられた収納室の上部側と下部側の双方に配置されたうえで、収納室の側方に延出されているので、この収納室の高さを利用して屋内供給用配管を効率的に配管でき、よって、屋内供給用配管の配管が容易となる。
また、収納室に換気ユニット本体が設置されるので、天井裏のスペースに関係なく、容易に換気ユニット本体を設置できる。
【００１８】
請求項２に記載の発明によれば、収納室の側方が下階の居室の上部空間とされており、収納室の上部側に配置された屋内供給用配管が、下階の居室の上部空間に設けられた天井の裏側を引き回されたうえで、該天井から下階の居室の上部空間に開口しているので、天井高の高い居室の換気を容易かつ確実に行うことができる。
【００１９】
請求項３に記載の発明によれば、収納室を形成する壁には、開口部が換気ユニット本体の吸入口の近傍に形成されているので、下階を還流した空気を開口部から収納室に集中的に集めて外部に排気できる。開口部から入った空気を素早く吸入口に吸入できる。さらに、開口部から収納室に採光できるので、換気ユニット本体のメンテナンス等の際に役立つ。
【００２０】
請求項４に記載の発明によれば、収納室に、発熱する他の機器が換気ユニット本体の近傍に設けられているので、発熱する機器によって加熱された空気を、他の居室等に流入させることなく、換気ユニット本体の吸入口から素早く吸入して外部に排出できる。
【００２１】
請求項５に記載の発明によれば、換気ユニット本体は、温度センサによって検出された温度に基いて、換気風量が制御されるので、季節に応じて適切な換気風量を確保できる。
【発明を実施するための最良の形態】
【００２２】
以下、図面を参照して本発明の実施の形態について説明する。
図１は、本発明に係るセントラル換気装置の設置構造を備えた住宅の概略を示す断面図である。
図１に示す住宅は、２階建ての住宅であり、１階と２階との間には、収納室３が設けられている。この収納室３は１階の天井懐を利用して形成されたものであり、その天井高は１．０ｍ〜１．４ｍに設定され、大人が屈んで歩ける程度の高さとなっている。この収納室３を形成する壁には、収納室３に出入りするための出入口３ａが形成されている。一方、１階と２階との間には、階段４が設けられており、この階段４の途中の踊り場４ａに前記収納室３への出入口３ａが面している。したがって、この踊り場４ａから収納室３に出入口３ａを通して出入りできるようになっている。また、収納室３の側方は、１階の居室５の上部空間とされており、これによって居室５は天井高が高くなっている。また、収納室３は１階で天井高が低くてもよい部屋、例えば、和室や、台所、洗面所、浴室等の上方に設けられている。
【００２３】
前記収納室３内は、図２および図３に示すように、仕切壁６によって区画されており、これによって、収納室３内にはチャンバー区画７と、物品を収納する収納区画８が設けられている。
チャンバー区画７は前記出入口３ａの側方に設けられており、該チャンバー区画７を形成する仕切壁６には、開口７ａが形成されている。チャンバー区画７の上部には、図４に示すように天井９が設けられており、この天井９の裏側にセントラル換気装置１０の換気ユニット本体１１が設置されている。
【００２４】
セントラル換気装置１０は、１階を換気するものであり、換気ユニット本体１１と、この換気ユニット本体１１に接続される各配管とを備えている。換気ユニット本体１１には、外部吸入用配管１２、屋内供給用配管１３，１３，１４，１４、外部排気用配管１５がそれぞれ接続されている。
外部吸入用配管１２は、建物の外部の空気を屋内に取り入れるために建物の外部から換気ユニット本体１１に連通するものであり、その先端部は建物の外壁を貫通して、建物外部に開口している。
屋内供給用配管１３，１４は、外部吸入用配管１２から吸入された空気を換気ユニット本体１１を介して建物の同一フロアの屋内に供給するものである。
外部排気用配管１５は、換気ユニット本体１１に設けられた吸入口１１ａから吸入された空気を外部に排気するために換気ユニット本体１１から外部まで連通するものであり、その先端部は建物の外壁を貫通して、建物外部に開口している。
【００２５】
前記換気ユニット本体１１は、電動モーターと、この電動モーターにより回転する多数の羽根を備えた換気扇とからなり、換気扇の羽根により発生する強制的な空気の流れを利用して、配管の内部の空気を強制的に移動させることができるものである。すなわち、外部吸入用配管１５の空気を屋内供給用配管１３，１４に向かって、あるいは吸入口１１ａからの空気を外部排気用配管１５に向かって強制的に移動させることができるものである。具体的には、特に図示しないが、羽根車の回転に伴って気体の遠心力を利用し、気体を圧送するターボファンと、このターボファンからの吹き出し流路を形成するケーシングとを備えているものである。
【００２６】
また、換気ユニット本体１１は、特に図示しないが、屋内側に位置する吸入口１１ａから吸入されて外部排気用配管１５から屋外に排出される空気と、外部吸入用配管１２から吸入されて屋内供給用配管１３，１４から屋内に供給される空気との間で、熱交換をする熱交換部を備えている。この熱交換部は、屋外に排出される空気と屋内に供給される空気とで内部の空気を直接、混合させることなく、熱の移動のみを行うことができるものである。具体的には、熱伝導率が大きな金属や樹脂等からなるストロー状の極細薄肉円筒管を多数、配列したものである。そして、屋外に排出される空気と屋内に供給される空気とのいずれか一方をストロー状の円筒管の内部を通過させ、他方をその円筒管の周囲を通過させるような構造のものである。これにより、屋外に排出される空気と、屋内に供給される空気とで温度差がある場合に温度が高い方の熱が薄肉円筒管を介して温度が低い方に伝わるように形成されている。
【００２７】
前記屋内供給用配管１３，１３は、図１〜図４に示すように、換気ユニット本体１１から上方に曲げられて、収納室３の上部側に配置され、さらに２階の床１８内から収納室３の側方に延出されている。
すなわち、屋内供給用配管１３，１３は収納室３の上部の天井裏から２階の床１８を構成する床パネル内に延出され、さらに、この床パネルの框材を貫通して、収納室３の側方に延出されている。収納室３の側方は、１階の居室５の上部空間であり、この部分には天井１９が２階の床の下方に設けられている。そして、この天井１９の裏に延出された屋内供給用配管１３は、天井１９の裏を引き回されたうえで、天井１９から下階の居室５の上部空間に開口している。つまり、天井１９の所定の位置には吹出口が二つ設けられており、これら吹出口に屋内供給用配管１３，１３が接続されている。
なお、天井１９の裏を引き回される屋内供給用配管１３，１３のそれぞれは、途中で複数に分岐して、これら分岐した屋内供給用配管１３を、天井１９に複数設けられた吹出口のそれぞれに接続してもよい。
【００２８】
また、前記屋内供給用配管１４，１４は、換気ユニット本体１１から下方に曲げられて、収納室３の下部側に配置され、さらに収納室３の床２０内から収納室３の側方に延出されている。
すなわち、屋内供給用配管１４，１４は、収納室３の床２０を構成する床パネルの面材を貫通して床パネル内に延出され、さらに床パネルの框材を貫通して、収納室３の側方に延出されている。収納室３の側方は、上述したように、１階の居室５の前記天井１９より下方の上部空間であるので、床パネルの框材には吹出口が二つ形成されており、これら吹出口に屋内供給用配管１４，１４がそれぞれ接続されている。また、屋内供給用配管１４は床パネル内で分岐されて床パネルの下面に設けられら吹出口にも接続されている。
なお、建物の１階に、収納室３の下方に設けられた部屋以外に、天井高の低い部屋がある場合は、この部屋の天井の裏を、前記屋内供給用配管１４が引き回されたうえで、当該部屋の天井から部屋に開口する。
【００２９】
このように、本実施の形態では、収納室３に換気ユニット本体１１が設置されるので、天井裏のスペースに関係なく、容易に換気ユニット本体１１を設置できる。
そして、この換気ユニット本体１１に接続される屋内供給用配管１３，１４は、収納室３の上部側と下部側の双方に配置されているので、この収納室３の高さを利用して屋内供給用配管１３，１４を効率的に配管して、側方に延出でき、よって、屋内供給用配管１３，１４の配管が容易となる。
また、収納室３の上部側に配置された屋内供給用配管１３，１３が、１階の居室５の上部空間に設けられた天井１９の裏側を引き回されたうえで、該天井１９から１階の居室５の上部空間に開口しており、さらに、収納室３の下部側に配置された屋内供給用配管１３，１３が収納室３の床から居室５の上部空間に開口しているので、天井高の高い居室５の換気を容易かつ確実に行うことができる。
【００３０】
また、前記換気ユニット本体１１には、上述したように吸入口１１ａが直接設けられており、この吸入口１１ａから１階の屋内を還流してきた空気を吸入するようになっている。一方、収納室３を形成する壁には、開口部２２が前記出入口３ａの横に形成されている。この開口部２２は、換気ユニット本体１１の吸入口１１ａの近傍に位置しており、１階の屋内を還流してきた空気の殆どは、この開口部２２から収納室３内のチャンバー区画７に流入して、吸入口１１ａから吸入され、この吸入された空気は外部排気用配管１５を通して外部に排気するようになっている。
このように、収納室３を形成する壁に開口部２２が形成されているので、１階を還流した空気を開口部２２を通してチャンバー区画７に集中的に集めて外部に排気できる。また、開口部２２が吸入口１１ａの近傍に形成されているので、開口部２２から入った空気を素早く吸入口１１ａに吸入できる。さらに、開口部２２から収納室３のチャンバー区画７に採光できるので、換気ユニット本体１１のメンテナンス等の際に役立つ。
【００３１】
また、前記チャンバー区画７を形成する仕切壁６には、開口７ａが形成されているので、前記開口部２２から流入せず、横にある出入口３ａから流入した空気は、この開口７ａからチャンバー区画７に流入して、換気ユニット本体１１の吸入口１１ａから吸入され、この吸入された空気は外部排気用配管１５を通して外部に排気できる。
さらに、チャンバー区画７には、図示は省略するが、発熱する他の機器が換気ユニット本体１１の近傍に設けられている。発熱する他の機器としては、家庭内のホームサーバ、太陽電池のインバータやバッテリ等が挙げられる。
このように、収納室３のチャンバー区画７には、発熱する他の機器が設けられているので、これら発熱する機器によって加熱された空気は、他の居室等に流入することなく、換気ユニット本体１１の吸入口１１ａから素早く吸入されて外部に排出できる。また、冬期には、発熱する機器によって加熱された空気は、換気ユニット本体１１内に設けられている熱交換器によって外部の新鮮な空気と熱交換されるので、前記加熱された空気によって外部の新鮮な空気をより効率的に暖めることができる、つまり発熱する機器からの排熱を有効に利用できる。
【００３２】
また、換気ユニット本体１１は、図５に示すように、温度センサ２３によって検出された温度に基いて、風量が制御されるようになっている。
すなわちまず、換気ユニット本体１１の内部には、上述したように、換気扇が内蔵されており、この換気扇は「強運転」と「弱運転」の２つの運転モードがある。
また、換気ユニット本体１１には、外部出力端子２４が設けられており、この外部出力端子２４には、補助送風機２５，２５が接続されている。補助送風機２５，２５は屋内供給用配管１３，１４内を流れて、屋内に吹出された外部の新鮮な空気の送風量が足りないところに設置されるものであり、これによって、新鮮な空気が効率よく行き渡り、所定の換気量の換気を行うようになっている。
【００３３】
温度センサ２３は、換気ユニット本体１１の吸入口１１ａに設けられたものであり、屋内を還流して、吸入口１１ａから吸入される空気の温度を室温として検出するものである。
この温度センサ２３は、換気ユニット本体１１に内蔵されている制御部に接続されている。この制御部では、以下のようにして風量を制御するようになっている。
すなわちまず、制御部には所定の設定温度Ｔhが設定されている。そして、前記温度センサ２３によって検出された室温がＴraであるとすると、Ｔra≧Ｔhである場合には、換気ユニット本体１１の換気扇を「強運転」とするように（電機モータを）制御する。一方、Ｔra＜Ｔhである場合には、換気ユニット本体１１の換気扇を「弱運転」とするように（電機モータを）制御する。
【００３４】
また、これ以外に換気ユニット本体１１の換気扇による風量が無段階に制御できる場合には、最低風量をＶL、比例係数ａとした場合、風量Ｖを、Ｖ＝ａ×（Ｔra−Ｔh）＋ＶLとするような比例制御を行うこともできる。
これによって、必要以上の換気（過換気）がなくなり、換気動力の低減、空調負担の低減、騒音（動作音）の低減等の効果が得られる。
【００３５】
さらに、「強運転」を行っても換気風量が不足する場合には、補助送風機２５，２５を制御する。
すなわち、前記温度センサ２３によって検出された室温Ｔraに基いて、前記補助送風機２５，２５のｏｎ、ｏｆｆ制御を行う。
例えば、制御部に所定の設定温度ＴＨを設定しておく。但し、ＴＨ＞Ｔｈである。そして、温度センサ２３によって検出された室温Ｔraが、設定温度ＴＨより高い場合は、つまり、Ｔra＞ＴＨの場合に、補助送風機２５，２５を「ｏｎ」とする。この場合、Ｔra＞Ｔｈであるので、換気ユニット本体１１の換気扇も動作している。
また、Ｔｈ≦Ｔra＜ＴＨの場合は、換気ユニット本体１１の換気扇のみが「強運転」として動作する。
また、Ｔra＜Ｔhである場合には、換気ユニット本体１１の換気扇のみが「弱運転」として動作する。
【００３６】
また、上記のような制御以外にも以下のような制御もある。
すなわちまず、冬期換気規準風量をＱw、夏期換気規準風量をＱs、換気ユニット本体１１の換気扇による換気量を「強運転」の場合にＱＨ、「弱運転」の場合にＱＬとする。但し、Ｑs＞Ｑw前提条件である。
そして、Ｑs＜ＱＨの場合、つまり「強運転」による換気量が夏期換気規準風量より多い場合は、換気ユニット本体１１の換気扇によってのみ換気する。
一方、Ｑs＞ＱＨの場合、つまり、「強運転」による換気量が夏期換気規準風量より少ない場合は、補助送風機２５，２５を追加作動して換気する。
【００３７】
このように、換気ユニット本体１１の換気扇や、補助送風機２５，２５は、前記温度センサ２３によって検出された温度に基いて、換気風量が制御されるので、季節に応じて適切な換気風量を確保できる。
【００３８】
なお、上記のような換気ユニット本体１１は、建物の１階の換気を行うためのものであるが、２階の換気を行う換気ユニット本体は、図示は省略するが、２階の天井裏に設置されており、これら換気ユニット本体に接続される各種配管は２階の天井裏で引きまわされれ、２階の天井から外部の新鮮な空気が吹出され、２階を還流した空気は換気ユニット本体に設けられた吸入口から吸入されて外部に排気される。
【図面の簡単な説明】
【００３９】
【図１】本発明に係るセントラル換気装置の設置構造を備えた住宅の概略を示す断面図である。
【図２】本発明に係るセントラル換気装置の設置構造を示すもので、収納室の斜視図である。
【図３】同、他の方向から見た収納室の斜視図である。
【図４】同、収納室の要部の断面図である。
【図５】同、換気ユニット本体を示す下面図である。
【符号の説明】
【００４０】
３  収納室
５  居室
６  仕切壁
１０  セントラル換気装置
１１  換気ユニット本体
１１ａ  吸入口
１２  外部吸入用配管
１３，１４  屋内供給用配管
１５  外部排気用配管
１９  天井
２２  開口部
２３  温度センサ
【図１】
2005069545.tif 000003
【図２】
2005069545.tif 000004
【図３】
2005069545.tif 000005
【図４】
2005069545.tif 000006
【図５】
2005069545.tif 000007